(57)【要約】【目的】本発明は、収納枠から収納ボックスを分離させる際の抜け止め解除用操作レバーの操作方向を限定する必要がなく、抜け止め解除を行う際の操作性を向上することを目的としている。【構成】このため、スライドレールを、収納枠の枠側レール部と、収納ボックスに取り付けられ枠側レール部に対してスライド移動自在なボックス側レール部とを有する構成とし、両レール部間に抜け止め手段を設け、ボックス側レール部に回動自在に抜け止め解除用操作レバーを設け、抜け止め手段を、枠側レール部の一方の縁部側の抜け止め突起と、前記操作レバーの係合爪とを有する構成とし、前記操作レバーに、第１、第２レバー部材と連結部と第１、第２接触面部とを設け、ボックス側レール部の一方の縁部側に移動規制部材を設け、係合方向に前記操作レバーを付勢力する付勢手段を設けている。【選択図】　　　　図１
2004016332.tif 000002
【特許請求の範囲】
【請求項１】
収納枠と収納ボックスとを連絡し、前記収納枠に対して収納ボックスを接離方向にスライド移動可能としたスライドレールにおいて、このスライドレールを、前記収納枠に連絡する枠側レール部と、前記収納ボックスに取り付けられるとともに前記枠側レール部に対してスライド移動自在に設けられるボックス側レール部とを有する構成とし、前記枠側レール部とボックス側レール部との間にこれらのレール部の抜け止めを果たす抜け止め手段を設けるとともに、前記ボックス側レール部に回動自在に取り付けられる抜け止め解除用操作レバーを設け、前記抜け止め手段を、前記枠側レール部の一方の縁部側に設けられる抜け止め突起と、この抜け止め突起に係合して抜け止めを果たすべく前記抜け止め解除用操作レバーに設けられる係合爪とを有する構成とし、抜け止め解除用操作レバーに、一端が回動自在に取り付けられる回動軸側の第１レバー部材と、この第１レバー部材の他端に接続される第２レバー部材と、前記第１レバー部材に第２レバー部材を揺動自在に接続する連結部と、この連結部の形成位置に対して第１レバー部材の前記枠側レール部の他方の縁部側に形成した第１接触面部と、この第１接触面部に接触すべく第２レバー部材の前記枠側レール部の他方の縁部側に形成した第２接触面部とを設け、前記ボックス側レール部の一方の縁部側に第２レバー部材の途中部位の移動を規制する移動規制部材を設けるとともに、前記抜け止め突起に係合爪を係合させるべく係合方向に抜け止め解除用操作レバーを付勢力する付勢手段を設け、前記抜け止め解除用操作レバーの第２レバー部材を移動規制部材側に操作すると、第２レバー部材は移動規制部材に接触してこれを支点として揺動し、この動作は前記連結部を介して第１レバー部材に伝達され、前記抜け止め突起と係合爪との係合を解除するとともに、前記抜け止め解除用操作レバーの第２レバー部材を移動規制部材と逆方向側に操作すると、第２レバー部材の第２接触面部が第１レバー部材の第１接触面部に接触衝突して、第１レバー部材と第２レバー部材が同方向に一体的な回動をし、前記抜け止め突起と係合爪との係合を解除する構成としたことを特徴とするスライドレールの抜け止め解除用操作レバー構造。
【請求項２】
前記抜け止め解除用操作レバーは、第１レバー部材の第１接触面部と第２レバー部材の第２接触面部との接触位置を、回動軸側へ変位させたことを特徴とする請求項１に記載のスライドレールの抜け止め解除用操作レバー構造。
【発明の詳細な説明】
【０００１】
【発明の属する技術分野】
この発明はスライドレールの抜け止め解除用操作レバー構造に係り、特に収納枠から収納ボックスを分離させる際の抜け止め解除用操作レバーの操作方向を限定する必要がなく、抜け止め解除を行う際の操作性を向上し得るスライドレールの抜け止め解除用操作レバー構造に関するものである。
【０００２】
【従来の技術】
書類を収納するための金属製書類収納箱、いわゆる収納ケースがある。例えば、この収納ケースは、収納枠と収納ボックスとからなり、収納枠と収納ボックスとをスライドレールによって連絡し、収納枠に対して収納ボックスを接離方向にスライド移動可能とし、収納ボックス内から書類の取り出し、あるいは収納を容易化している。
【０００３】
また、スライドレールに関しては、実公平５−１３２２３号公報や特開平６−１６９８２３号公報に開示されるものがある。
【０００４】
【発明が解決しようとする課題】
ところで、従来のスライドレール１０２においては、図２０に示す如く、収納枠（図示せず）に連絡する枠側レール部１０４と、収納ボックス（図示せず）に取り付けられるとともに前記枠側レール部１０４に対してスライド移動自在に設けられるボックス側レール部１０６とを有し、枠側レール部１０４とボックス側レール部１０６との間にこれらのレール部の抜け止めを果たす抜け止め手段１０８を設けている。
【０００５】
この抜け止め手段１０８は、枠側レール部１０４に設けられる抜け止め突起１１２と、この抜け止め突起１１２に係合して抜け止めを果たすべく、例えば抜け止め解除用操作レバー１１０に設けられる係合爪１１４とからなり、抜け止め解除の際には、抜け止め解除用操作レバー１１０を操作して抜け止め突起１１２と係合爪１１４との係合を解除している。
【０００６】
なお、前記抜け止め手段１０８としては、上述のレバー式以外にも、スイッチ式のものもあるが、この発明が抜け止め解除用操作レバー構造に関するものであることにより、スイッチ式のものの説明は省略する。
【０００７】
そして、前記抜け止め解除用操作レバー１１０によって抜け止め解除を行うことにより、収納枠から収納ボックスを分離させることができ、収納ボックスを任意の箇所に搬送可能とする。
【０００８】
しかし、従来の抜け止め解除用操作レバーにおいては、抜け止め解除用操作レバーの抜け止め解除方向が一方向となっている。
【０００９】
つまり、収納ボックスの両側にスライドレールを配設した際に、抜け止め解除を行うために、操作レバーを上方向、あるいは下方向に操作する必要がある。
【００１０】
このとき、左右に位置する抜け止め解除用操作レバーの抜け止め解除方向は、収納ボックスの両側に配設されるスライドレールの構造によって相違する。すなわち、例えば両側に同一構成部品を使用する場合は、左右の抜け止め解除用操作レバーの操作方向が逆方向となるとともに、両側に対称構成部品を使用する場合は、左右の抜け止め解除用操作レバーの操作方向が同方向となる。
【００１１】
この結果、収納枠から収納ボックスを分離させる際に、抜け止め解除用操作レバーの操作方向が限定されることとなり、抜け止め解除を行う際の操作性が悪く、実用上不利であるという不都合がある。
【００１２】
【課題を解決するための手段】
そこで、この発明は、上述不都合を除去するために、収納枠と収納ボックスとを連絡し、前記収納枠に対して収納ボックスを接離方向にスライド移動可能としたスライドレールにおいて、このスライドレールを、前記収納枠に連絡する枠側レール部と、前記収納ボックスに取り付けられるとともに前記枠側レール部に対してスライド移動自在に設けられるボックス側レール部とを有する構成とし、前記枠側レール部とボックス側レール部との間にこれらのレール部の抜け止めを果たす抜け止め手段を設けるとともに、前記ボックス側レール部に回動自在に取り付けられる抜け止め解除用操作レバーを設け、前記抜け止め手段を、前記枠側レール部の一方の縁部側に設けられる抜け止め突起と、この抜け止め突起に係合して抜け止めを果たすべく前記抜け止め解除用操作レバーに設けられる係合爪とを有する構成とし、抜け止め解除用操作レバーに、一端が回動自在に取り付けられる回動軸側の第１レバー部材と、この第１レバー部材の他端に接続される第２レバー部材と、前記第１レバー部材に第２レバー部材を揺動自在に接続する連結部と、この連結部の形成位置に対して第１レバー部材の前記枠側レール部の他方の縁部側に形成した第１接触面部と、この第１接触面部に接触すべく第２レバー部材の前記枠側レール部の他方の縁部側に形成した第２接触面部とを設け、前記ボックス側レール部の一方の縁部側に第２レバー部材の途中部位の移動を規制する移動規制部材を設けるとともに、前記抜け止め突起に係合爪を係合させるべく係合方向に抜け止め解除用操作レバーを付勢力する付勢手段を設け、前記抜け止め解除用操作レバーの第２レバー部材を移動規制部材側に操作すると、第２レバー部材は移動規制部材に接触してこれを支点として揺動し、この動作は前記連結部を介して第１レバー部材に伝達され、前記抜け止め突起と係合爪との係合を解除するとともに、前記抜け止め解除用操作レバーの第２レバー部材を移動規制部材と逆方向側に操作すると、第２レバー部材の第２接触面部が第１レバー部材の第１接触面部に接触衝突して、第１レバー部材と第２レバー部材が同方向に一体的な回動をし、前記抜け止め突起と係合爪との係合を解除する構成としたことを特徴とする。
【００１３】
【発明の実施の形態】
上述の如く発明したことにより、抜け止め解除用操作レバーの第２レバー部材を移動規制部材側に操作すると、第２レバー部材は移動規制部材に接触してこれを支点として揺動し、この動作は前記連結部を介して第１レバー部材に伝達され、前記抜け止め突起と係合爪との係合を解除するとともに、前記抜け止め解除用操作レバーの第２レバー部材を移動規制部材と逆方向側に操作すると、第２レバー部材の第２接触面部が第１レバー部材の第１接触面部に接触衝突して、第１レバー部材と第２レバー部材が同方向に一体的な回動をし、前記抜け止め突起と係合爪との係合を解除し、収納枠から収納ボックスを分離させる際の抜け止め解除用操作レバーの操作方向が限定されることがなく、任意の方向に抜け止め解除用操作レバーを操作しても、抜け止め手段の抜け止め突起と係合爪との係合を解除でき、抜け止め解除を行う際の操作性を向上している。
【００１４】
【実施例】
以下図面に基づいてこの発明の実施例を詳細に説明する。
【００１５】
図１〜図８はこの発明の第１実施例を示すものである。図１〜図４において、２は例えば金属製のスライドレールである。
【００１６】
このスライドレール２は、図示しない収納枠と図示しない収納ボックスとを連絡し、前記収納枠に対して収納ボックスを接離方向にスライド移動可能としている。
【００１７】
つまり、収納枠及び収納ボックスは書類あるいはその他の物の収納に利用され、収納枠を金属製あるいは木製等の材料を使用して形成し、収納枠の収納開口部位に金属製あるいは木製等の材料を使用して形成した収納ボックスを挿脱する際に、収納ボックスのスライド移動を前記スライドレール２によって可能とするとともに、収納ボックスの脱落を防止するために後述する抜け止め手段８を設けている。
【００１８】
前記スライドレール２を、図１（ｂ）及び図１（ｃ）に示す如く、前記収納枠に連絡し、且つスライドレール２の外側部位を構成する枠側レール部４と、前記収納ボックスに取り付けられるとともに、スライドレール２の内側部位を構成し、前記枠側レール部４に対してスライド移動自在に設けられるボックス側レール部６と、前記枠側レール部４とボックス側レール部６間に配設され、ボックス側レール部６のスライド移動を円滑とすべく、必要に応じて設けられる図示しないベアリング手段とを有する構成とする。
【００１９】
また、前記枠側レール部４とボックス側レール部６との間に、これらのレール部の抜け止めを果たす抜け止め手段８を設けるとともに、前記ボックス側レール部６に回動自在に取り付けられる抜け止め解除用操作レバー１０を設ける。
【００２０】
そして、前記抜け止め手段８を、前記枠側レール部４の一方、例えば図１〜図４において上方の縁部４ａ側に設けられる抜け止め突起１２と、この抜け止め突起１２に係合してボックス側レール部６の抜け止めを果たすべく、前記抜け止め解除用操作レバー１０に設けられる係合爪１４とを有する構成とする。このとき、抜け止め突起１２は、図１に示す如く、本体部１１に一体成形されるとともに、この本体部１１には、前記枠側レール部４の一方である上方の縁部４ａ側に本体部１１を固定するための取付孔１３が、必要に応じて設けられる。なお、前記本体部１１の固定方策に際しては、本体部１１に形成する挿入突起と枠側レール部４側に設けられる嵌合孔部との組み合わせ等も考えられる。
【００２１】
すなわち、前記抜け止め解除用操作レバー１０を構成する第１レバー部材１６と第２レバー部材１８との上端側位置の相違、つまり第１レバー部材１６に対して第２レバー部材１８の上端側位置を低くすることにより、突出する第１レバー部材１６の上端側に前記係合爪１４が現出されることとなる。
【００２２】
そして、この係合爪１４から第１レバー部材１６の一端の回動軸２０側に向かって、第１レバー部材１６の上端側に案内斜面部２２を形成している。この案内斜面部２２は、前記枠側レール部４にボックス側レール部６を挿入する際に、抜け止め突起１２の端部に接触しても、第１レバー部材１６の回動動作と抜け止め突起１２の端部に形成した切除部１２ｃとが相まって接触を緩和し、円滑な挿入動作を確保するものである。
【００２３】
更に、前記抜け止め解除用操作レバー１０に、一端が回動自在に取り付けられる回動軸２０側の前記第１レバー部材１６と、この第１レバー部材１６の他端に接続される前記第２レバー部材１８と、前記第１レバー部材１６に第２レバー部材１８を揺動自在に接続する薄肉状の連結部２４と、この連結部２４の形成位置に対して第１レバー部材１６の前記枠側レール部４の他方、例えば図１〜図４において下方の縁部４ｂ側（ボックス側レール部６の下方の縁部６ｂ側でもある）に形成した第１接触面部２６と、この第１接触面部２６に接触すべく第２レバー部材１８の前記枠側レール部４の他方である下方の縁部４ｂ側（ボックス側レール部６の下方の縁部６ｂ側でもある）に形成した第２接触面部２８とを設ける。
【００２４】
そしてこのとき、前記抜け止め解除用操作レバー１０を、合成樹脂や金属等の材料により平板状に一体的に形成し、図８に示す如く、上下方向に指向する連結部２４の両側に肉盗み用の第１、第２凹部３０、３２を形成する。
【００２５】
更にまた、前記ボックス側レール部６の一方である上方の縁部６ａ側に第２レバー部材１８の途中部位の移動を規制する断面円形状あるいは断面円弧状の移動規制部材３４を設けるとともに、前記抜け止め突起１２に係合爪１４を係合させるべく係合方向に抜け止め解除用操作レバー１０を付勢力する付勢手段３６を設ける。
【００２６】
つまり、前記付勢手段３６も前記抜け止め解除用操作レバー１０と一体的に形成するとともに、第１レバー部材１６の回動軸２０側且つ下端側から斜め下方へ第２レバー部材１８側に延びる腕部材によって形成する。
【００２７】
そして、抜け止め解除用操作レバー１０の取付時に、前記第２レバー部材１８の下方の縁部４ｂを付勢手段３６によって押圧し、第２レバー部材１８の途中部位を前記移動規制部材３４に押し付けて第２レバー部材１８の途中部位の移動を規制し、第１レバー部材１６の第１接触面部２６と第２レバー部材１８の第２接触面部２８とを接触させるとともに、前記抜け止め手段８の抜け止め突起１２に係合爪１４を係合させるべく係合方向に抜け止め解除用操作レバー１０を付勢力するものである。
【００２８】
なお、前記抜け止め解除用操作レバー１０の座面損傷に関して追記すると、図５及び図６に示す如く、抜け止め解除用操作レバー１０には、回転軸２０に掛かる曲げモーメントｆ１やリフト荷重ｆ２、係合爪１４から入る衝突荷重ｆ３等が作用し、抜け止め解除用操作レバー１０の第１レバー部材１６から回転軸２０の中心までの距離をＬ１とした場合に、距離Ｌを大とすることによって抜け止め解除用操作レバー１０の座面損傷は発生し難くなる。
【００２９】
次に作用を説明する。
【００３０】
先ず、前記抜け止め解除用操作レバー１０をボックス側レール部６内に取り付ける際には、図１（ａ）に示す如く、前記付勢手段３６の付勢力に抗して、付勢手段３６を前記第２レバー部材１８の下方の縁部６ｂに取り付けるとともに、第２レバー部材１８を回動させて第２レバー部材１８の途中部位を前記移動規制部材３４に押し付ける（図２参照）。
【００３１】
つまり、前記抜け止め解除用操作レバー１０は、ボックス側レール部６の両縁部６ａ、６ｂ内において、一方に係合爪１４が配置されるとともに、他方に付勢手段３６が配置されるように回動軸２０で回動自在に固定される。
【００３２】
そしてこのとき、前記抜け止め解除用操作レバー１０は、回動軸２０が収納枠側に配置されるとともに、第２レバー部材１８が引き出し側である収納ボックス側に配置され、また、第２レバー部材１８は、前記移動規制部材３４を介して係合爪１４が解除される側に配置される。
【００３３】
その後、前記抜け止め解除用操作レバー１０を取り付けたボックス側レール部を必要に応じて設けられるベアリング手段を介して枠側レール部４に組み込む際には、枠側レール部４の内面に固着された抜け止め手段８の抜け止め突起１２を、第１レバー部材１６の上端側の案内斜面２２で付勢手段３６の付勢力に抗して付勢手段３６を圧縮しつつ進入する。前記第１レバー部材１６の係合爪１４が抜け止め手段８の抜け止め突起１２を通り抜けると、係合爪１４は付勢手段３６の付勢力によってボックス側レール部６の上方の縁部６ａに押圧される（図２参照）。
【００３４】
そして、前記抜け止め解除用操作レバー１０の第２レバー部材１８を移動規制部材３４側、例えば図３において上方の縁部４ａ、６ａ側に操作する際には、第２レバー部材１８は移動規制部材３４に接触してこれを支点として揺動し、この動作は前記連結部２４を介して第１レバー部材１６に伝達され、回転軸２０を中心として抜け止め解除用操作レバー１０の第１レバー部材１６を時計回りに回動させ、前記抜け止め手段８の抜け止め突起１２と係合爪１４との係合を解除する。
【００３５】
また、前記抜け止め解除用操作レバー１０の第２レバー部材１８を移動規制部材３４と逆方向側、例えば図４において下方の縁部４ａ、６ａ側に操作する際には、第２レバー部材１８の第２接触面部２８が第１レバー部材１６の第１接触面部２６に接触衝突して、第１レバー部材１６と第２レバー部材１８が同方向、つまり時計回りに一体的な回動をし、前記抜け止め手段８の抜け止め突起１２と係合爪１４との係合を解除する。
【００３６】
前記抜け止め手段８の抜け止め突起１２と係合爪１４との係合が解除された後には、前記抜け止め解除用操作レバー１０を操作した方向に維持しつつ、前記収納ボックスを収納枠から抜き出す。
【００３７】
これにより、収納枠から収納ボックスを分離させる際の抜け止め解除用操作レバー１０の操作方向が限定されることがなく、任意の方向に抜け止め解除用操作レバー１０を操作しても、前記抜け止め手段８の抜け止め突起１２と係合爪１４との係合を解除することができ、抜け止め解除を行う際の操作性を向上し得て、実用上有利である。
【００３８】
また、前記抜け止め解除用操作レバー１０を、合成樹脂や金属等の材料により平板状に一体的に形成することにより、鋳抜き作業によって、抜け止め解除用操作レバー１０を容易に形成でき、製造コストを低廉に維持し得て、経済的にも有利である。
【００３９】
更に、この第１実施例においては、上下方向に指向する前記連結部２４の両側に肉盗み用の第１、第２凹部３０、３２を形成したが、図９及び図１０に示す如く、水平方向に指向する連結部４２を形成し、この連結部４２の下側に肉盗み用の凹部４４を形成することも可能である。
【００４０】
更にまた、後述の第３実施例にて説明する形状のように、すなわち図１１及び図１２に示す如く、抜け止め解除用操作レバー１０の第１レバー部材１６の第１接触面部６２と第２レバー部材１８の第２接触面部６４との接触位置を回動軸２０側へ変位させる構成とし、上下方向に指向する前記連結部２４の一側、つまり第１レバー部材１６と第２レバー部材１８間に肉盗み用の凹部４６を形成することも可能である。
【００４１】
図１３及び図１４はこの発明の第２実施例を示すものである。この第２実施例において、上述第１実施例のものと同一機能を果たす箇所には、同一符号を付して説明する。
【００４２】
上述第１実施例においては、前記付勢手段３６を、抜け止め解除用操作レバー１０の第１レバー部材１６の回動軸２０側且つ下端側から斜め下方へ第２レバー部材１８側に延びる腕部材によって形成したが、この第２実施例の特徴とするところは、付勢手段５２を、抜け止め解除用操作レバー１０の第１レバー部材１６の回動軸２０から外側方向に延びる腕部材によって形成する構成とした点にある。
【００４３】
すなわち、図１３に示す如く、抜け止め解除用操作レバー１０の第１レバー部材１６の回動軸２０から外側方向、つまり図１３の左側方向に延びる腕部材によって付勢手段５２を平板状に一体的に形成する。
【００４４】
そしてこのとき、この付勢手段５２を、抜け止め解除用操作レバー１０の第１レバー部材１６の回動軸２０から外側方向に延びる腕部５４と、腕部５４の端部に形成されるくちばし部５６と、このくちばし部５６の上面に形成される付勢側案内斜面部５８とを有する構成とする。
【００４５】
この付勢側案内斜面部５８は、図１３に示す如く、前記枠側レール部４にボックス側レール部６を挿入する際に、抜け止め突起１２の端部に接触しても、付勢手段５２の腕部５４の弾性変形と抜け止め突起１２の端部に形成した切除部１２ｃとが相まって接触を緩和し、円滑な挿入動作を確保するものである
【００４６】
さすれば、前記付勢手段５２を抜け止め解除用操作レバー１０の第１レバー部材１６の回動軸２０から外側方向に延びる腕部材によって形成することにより、抜け止め解除用操作レバー１０を長尺形状とすることができ、細いスライドレールに対応可能となり、汎用性が大となって、使い勝手を向上し得る。
【００４７】
また、図１４に示す如く、前記抜け止め解除用操作レバー１０の第１レバー部材１６から回転軸２０の中心までの距離を、大なるＬ２としたことにより、抜け止め解除用操作レバー１０の座面損傷を発生し難くすることができるものである。
【００４８】
更に、上述第１実施例のものと同様に、収納枠から収納ボックスを分離させる際の抜け止め解除用操作レバー１０の操作方向が限定されることがなく、任意の方向に抜け止め解除用操作レバー１０を操作しても、前記抜け止め手段８の抜け止め突起１２と係合爪１４との係合を解除することができ、抜け止め解除を行う際の操作性を向上し得て、実用上有利である。
【００４９】
更にまた、前記抜け止め解除用操作レバー１０を、合成樹脂や金属等の材料により平板状に一体的に形成することにより、上述第１実施例のものと同様に、鋳抜き作業によって、抜け止め解除用操作レバー１０を容易に形成でき、製造コストを低廉に維持し得て、経済的にも有利である。
【００５０】
図１５〜図１９はこの発明の第３実施例を示すものである。
【００５１】
この第３実施例の特徴とするところは、抜け止め解除用操作レバー１０の第１レバー部材１６の第１接触面部６２と第２レバー部材１８の第２接触面部６４との接触位置を、回動軸２０側へ変位させる構成とした点にある。
【００５２】
すなわち、前記抜け止め解除用操作レバー１０において、図１５〜図１９に示す如く、第１レバー部材１６の第１接触面部６２を、連結部２４の下方部位から回動軸２０側へ、例えば付勢手段３６の中間部位まで変位させて形成するとともに、この第１接触面部６２に対峙するように、第２レバー部材１８の第２接触面部６４を形成し、第１レバー部材１６の第１接触面部６２と第２レバー部材１８の第２接触面部６４との接触する点である反力支点を鉤状とする。
【００５３】
そして、図１６に示す如く、前記抜け止め解除用操作レバー１０のＰ方向に掛かる付勢手段３６の荷重反力を、前記連結部２４の引張方向となるように変更するものである。
【００５４】
このとき、前記第１レバー部材１６の第１接触面部６２及び前記第２レバー部材１８の第２接触面部６４を連結部２４に対して直交する位置に配置して反力支点を鉤状とすることにより、図１３に示す如く、第２レバー部材１８を時計回り方向に荷重したとき、付勢手段３６から受ける反力は、連結部の引張方向になるため、回動に際して連結部２４の変形による過大振れが防止され、安定した解除角が保証される。
【００５５】
また、上述第１及び第２実施例においては、移動規制部材をスライドレール２のボックス側レール部６に形成したが、前記第２レバー部材１８からボックス側レール部６側に突出する突起状の移動規制部材６６を形成するとともに、この移動規制部材６６に対応するボックス側レール部６に、移動規制部材６６の移動を許容する長孔６８を形成する。
【００５６】
つまり、第２レバー部材１８の第２接触面部６４が第１レバー部材１６の第１接触面部６２に接触衝突して、第１レバー部材１６と第２レバー部材１８とが同方向に一体的な回動をさせる側には、前記長孔６８と突起状の移動規制部材６６とはゆとりを持ち、その逆方向に回動する場合には、長孔６８が突起状の移動規制部材６６を受け止めて支点となる機能を有している。
【００５７】
さすれば、前記抜け止め解除用操作レバー１０の第１レバー部材１６の第１接触面部６２と第２レバー部材１８の第２接触面部６４との接触位置を回動軸２０側へ変位させたことにより、前記抜け止め解除用操作レバー１０のＰ方向に掛かる付勢手段３６の荷重反力を前記連結部２４の引張方向となるように変更することができ、連結部２４の必要強度を低減させることができるとともに、前記抜け止め解除用操作レバー１０を枠側レール部４の他方側に操作する際の解除操作が確実なものとなり、実用上有利である。
【００５８】
また、上述第１及び第２実施例のものと同様に、収納枠から収納ボックスを分離させる際の抜け止め解除用操作レバー１０の操作方向が限定されることがなく、任意の方向に抜け止め解除用操作レバー１０を操作しても、前記抜け止め手段８の抜け止め突起１２と係合爪１４との係合を解除することができ、抜け止め解除を行う際の操作性を向上し得て、実用上有利である。
【００５９】
更に、前記抜け止め解除用操作レバー１０を、合成樹脂や金属等の材料により平板状に一体的に形成することにより、上述第１及び第２実施例のものと同様に、鋳抜き作業によって、抜け止め解除用操作レバー１０を容易に形成でき、製造コストを低廉に維持し得て、経済的にも有利である。
【００６０】
なお、この発明は上述第１〜第３実施例に限定されるものではなく、種々の応用改変が可能である。
【００６１】
例えば、この発明の第１実施例においては、前記抜け止め解除用操作レバーを、合成樹脂や金属等の材料により一体的に形成する構成としたが、第１、第２レバー部材を夫々別体に形成し、別体に形成した第１、第２レバー部材をヒンジ（「蝶番」ともいう）で接続し、この接続部位を連結部とする特別構成とすることも可能である。
【００６２】
また、この発明の第１実施例においては、前記抜け止め解除用操作レバーを、２つの第１、第２レバー部材を有する構成としたが、３つ以上のレバー部材を組み合わせる特別構成とすることも可能である。
【００６３】
【発明の効果】
以上詳細に説明した如くこの本発明によれば、収納枠と収納ボックスとを連絡し、収納枠に対して収納ボックスを接離方向にスライド移動可能としたスライドレールにおいて、スライドレールを、収納枠に連絡する枠側レール部と、収納ボックスに取り付けられるとともに枠側レール部に対してスライド移動自在に設けられるボックス側レール部とを有する構成とし、枠側レール部とボックス側レール部との間にこれらのレール部の抜け止めを果たす抜け止め手段を設けるとともに、ボックス側レール部に回動自在に取り付けられる抜け止め解除用操作レバーを設け、抜け止め手段を、枠側レール部の一方の縁部側に設けられる抜け止め突起と、抜け止め突起に係合して抜け止めを果たすべく抜け止め解除用操作レバーに設けられる係合爪とを有する構成とし、抜け止め解除用操作レバーに、一端が回動自在に取り付けられる回動軸側の第１レバー部材と、第１レバー部材の他端に接続される第２レバー部材と、第１レバー部材に第２レバー部材を揺動自在に接続する連結部と、連結部の形成位置に対して第１レバー部材の枠側レール部の他方の縁部側に形成した第１接触面部と、第１接触面部に接触すべく第２レバー部材の枠側レール部の他方の縁部側に形成した第２接触面部とを設け、ボックス側レール部の一方の縁部側に第２レバー部材の途中部位の移動を規制する移動規制部材を設けるとともに、抜け止め突起に係合爪を係合させるべく係合方向に抜け止め解除用操作レバーを付勢力する付勢手段を設け、抜け止め解除用操作レバーの第２レバー部材を移動規制部材側に操作すると、第２レバー部材は移動規制部材に接触してこれを支点として揺動し、この動作は連結部を介して第１レバー部材に伝達され、抜け止め突起と係合爪との係合を解除するとともに、抜け止め解除用操作レバーの第２レバー部材を移動規制部材と逆方向側に操作すると、第２レバー部材の第２接触面部が第１レバー部材の第１接触面部に接触衝突して、第１レバー部材と第２レバー部材が同方向に一体的な回動をし、抜け止め突起と係合爪との係合を解除する構成としたので、収納枠から収納ボックスを分離させる際の抜け止め解除用操作レバーの操作方向が限定されることがなく、任意の方向に抜け止め解除用操作レバーを操作しても、前記抜け止め手段の抜け止め突起と係合爪との係合を解除することができ、抜け止め解除を行う際の操作性を向上し得て、実用上有利である。
【図面の簡単な説明】
【図１】この発明の第１実施例を示し、（ａ）は抜け止め解除用操作レバーの概略説明図、（ｂ）は抜け止め解除用操作レバーの概略断面図、（ｃ）は（ａ）におけるＦｃ１−Ｆｃ１線による断面図である。
【図２】抜け止め解除用操作レバーの取付時の概略説明図である。
【図３】抜け止め解除用操作レバーを上方に操作した際の概略説明図である。
【図４】抜け止め解除用操作レバーを下方に操作した際の概略説明図である。
【図５】抜け止め解除用操作レバーを示し、（ａ）は取付時の荷重状態の概略説明図、（ｂ）は概略断面図である。
【図６】抜け止め解除用操作レバーの回動中心部位の概略拡大断面図である。
【図７】抜け止め解除用操作レバーの動作状態を示す図である。
【図８】抜け止め解除用操作レバーの概略図である。
【図９】この発明の第１実施例の第１の改良例を示す抜け止め解除用操作レバーの動作状態を示す図である。
【図１０】抜け止め解除用操作レバーの概略図である。
【図１１】この発明の第１実施例の第２の改良例を示す抜け止め解除用操作レバーの動作状態を示す図である。
【図１２】抜け止め解除用操作レバーの概略図である。
【図１３】この発明の第２実施例を示す抜け止め解除用操作レバーの取付時の概略説明図である。
【図１４】抜け止め解除用操作レバーを示し、（ａ）は取付時の荷重状態の概略説明図、（ｂ）は概略断面図である。
【図１５】この発明の第３実施例を示す抜け止め解除用操作レバーの動作状態を示す図である。
【図１６】抜け止め解除用操作レバーの概略図である。
【図１７】図１３のＦ１５−Ｆ１５線による断面図である。
【図１８】抜け止め解除用操作レバーの背面図である。
【図１９】図１３の矢視Ｆ１７部分の概略拡大図である。
【図２０】この発明の従来技術を示すスライドレールの概略組付斜視図である。
【符号の説明】
２　スライドレール
４　枠側レール部
６　ボックス側レール部
８　抜け止め手段
１０　抜け止め解除用操作レバー
１２　抜け止め突起
１４　係合爪
１６　第１レバー部材
１８　第２レバー部材
２０　回動軸
２２　案内斜面部
２４　連結部
２６　第１接触面部
２８　第２接触面部
３０、３２　逃げ用第１、第２凹部
３４　移動規制部材
３６　付勢手段
【図１】
2004016332.tif 000003
【図２】
2004016332.tif 000004
【図３】
2004016332.tif 000005
【図４】
2004016332.tif 000006
【図５】
2004016332.tif 000007
【図６】
2004016332.tif 000008
【図７】
2004016332.tif 000009
【図８】
2004016332.tif 000010
【図９】
2004016332.tif 000011
【図１０】
2004016332.tif 000012
【図１１】
2004016332.tif 000013
【図１２】
2004016332.tif 000014
【図１３】
2004016332.tif 000015
【図１４】
2004016332.tif 000016
【図１５】
2004016332.tif 000017
【図１６】
2004016332.tif 000018
【図１７】
2004016332.tif 000019
【図１８】
2004016332.tif 000020
【図１９】
2004016332.tif 000021
【図２０】
2004016332.tif 000022